(57)【特許請求の範囲】
【請求項１】
前方に伸びる突起が表面に付いている前縁部分を有する長いバケットリップと、
前記突起と前方が重なる関係で摩耗部材の前方部分を位置付けるように、前記摩耗部材を前記リップへと後方に移動させることにより、前記リップ上に作動的に配置可能な前記摩耗部材と、
前記前縁の長さに沿って前記突起に向かって動くための、前記リップの前記前縁部分に取付け可能な安定化構造物とを含み、
前記摩耗部材が前記リップ上へと後方に位置付けられる間に、前記摩耗部材の前記前方部分が前記安定化構造物と係合して、前記安定化構造物を前記突起に向けて動かすように、前記摩耗部材の前記前方部分及び前記安定化構造物が相対的に構成される
地面係合装置。
【請求項２】
前記摩耗部材はアダプタである
請求項１に記載の地面係合装置。
【請求項３】
前記アダプタは、前記アダプタが前記リップ上に作動的に設置されているときに前記リップをまたぐように構成された上側レッグ及び下側レッグを含む後方部分を有する
請求項２に記載の地面係合装置。
【請求項４】
前記安定化構造物は、前記突起の両側の前記リップの前記前縁部分にスライド可能に取付け可能な第１及び第２安定化ブロック部材を含む
請求項１に記載の地面係合装置。
【請求項５】
前記摩耗部材の前記前方部分は、前記摩耗部材が前記リップ上へと作動的に後方に位置付けられるのに応答して、前記第１及び第２安定化ブロック部材と係合し、これらの各々を前記突起に向けてスライドさせるように構成される
請求項４に記載の地面係合装置。
【請求項６】
前記第１及び第２安定化ブロック部材は、前記第１及び第２安定化ブロック部材が前記摩耗部材により前記突起に向かって動くのに応答して、前記突起の一部分を遮蔽的に（shieldingly）受け入れるように構成されたポケット領域を内部に有する
請求項５に記載の地面係合装置。
【請求項７】
前記第１及び第２安定化ブロック部材は、前記摩耗部材が前記リップ上に作動的に取り付けられているときに前記摩耗部材の不要な左右の動きを抑制するように構成される
請求項５に記載の地面係合装置。
【請求項８】
前記第１及び第２安定化ブロック部材は、比較的幅が狭い外側端部と、比較的幅が広い内側端部と、前記内側及び外側端部の間に伸びる後方側面と、前記内側及び外側端部の間に伸び、前記後方側面に対して傾斜している前方側面と、前記後方側面と前記内側端部の接合部に位置し、前記ブロック部材が前記突起に向かって前記リップの前記前縁に沿って動くのに応答して前記突起の一部分を受け入れるように構成されたポケット領域とを有する
請求項４に記載の地面係合装置。
【請求項９】
前記安定化構造物は、安定化部材と、前記前縁部分の長さに沿って前記突起に近づき且つ前記突起から離れて動くようにするために、前記安定化部材を前記リップの前記前縁部分にスライド式に装着するための磁気構造物とを含む
請求項１に記載の地面係合装置。
【請求項１０】
前記安定化構造物は、前記突起の両側の前記リップの前記前縁部分に位置付け可能な第１及び第２安定化部材と、前記突起に近づき且つ前記突起から離れて動くようにするために、前記第１及び第２安定化部材を前記リップの前記前縁上にスライド式に保持するための磁気構造物とを含む
請求項１に記載の地面係合装置。
【請求項１１】
前方に伸びる突起が表面に付いている前縁部分を有する長いバケットリップと、
前記前縁部分の長さに沿って前記突起に近づき且つ前記突起から離れるようにスライド可能に動くようにするために、前記リップの前記前縁部分に取り付けられた第１及び第２安定化部材とを含み、前記第１及び第２安定化部材は、ポケット部分を有し、前記リップ表面の作動的位置にあり、前記突起の両側部分が前記ポケット部分に受け入れられ；
摩耗部材は、前記摩耗部材の前方部分が前記第１及び第２安定化部材の上に重なって、前記作動的位置で前記第１及び第２安定化部材を保持する状態で、前記リップに取外し可能に取り付けられ、前記第１及び第２安定化部材は、前記突起を運転摩耗から遮蔽し、且つ前記リップに対する前記摩耗部材の不要な左右の動きを抑制する
地面係合装置。
【請求項１２】
前記摩耗部材はアダプタである
請求項１１に記載の地面係合装置。
【請求項１３】
前記第１及び第２安定化部材は前記リップの前記前縁上に磁気的に保持される
請求項１１に記載の地面係合装置。
【請求項１４】
前方に伸びる突起が表面に付いている前縁部分を有する長いバケットリップと、
前記リップの前記前縁部分の両側の前記リップの前記前縁部分の表面に取り付けられ、内部に形成されたポケット部分を有する第１及び第２安定化部材とを含み、前記第１及び第２安定化部材は、前記突起の両側の縁部分が前記ポケット領域に進入し、したがって前記第１及び第２安定化部材で遮蔽されるように、前記リップの前記前縁部分に沿って前記突起に向けてスライド可能である
地面係合装置。
【請求項１５】
前記第１及び第２安定化部材は前記リップの前記前縁に磁気的に取り付けられる
請求項１４に記載の地面係合装置。
【請求項１６】
前方に伸びる突起が表面に付いている前縁部分を有する長いバケットリップに摩耗部材を装着する方法であって、
前記リップの長さに沿って前記突起に近づき且つ前記突起から離れて動くようにするため、第１及び第２安定化部材を前記突起の両側の前記リップの前記前縁部分にスライド可能に取り付けるステップと、
前記摩耗部材が強制的に前記第１及び第２安定化部材を前記突起の方に移動させるように、前記突起並びに前記第１及び第２安定化部材と重なる関係で前記摩耗部材を前記リップへと後方に動かすステップとを含む
方法。
【請求項１７】
前記第１及び第２安定化部材の各々は、内部にポケット領域が形成された端部を有し、
前記スライド可能に取り付けるステップは、前記ポケット領域が前記突起に面するように実施され、
前記後方に動かすステップは、前記突起の前記部分を前記ポケット領域に進入させるように実施される
請求項１６に記載の方法。
【請求項１８】
前記スライド可能に取り付けるステップは、前記第１及び第２安定化部材を前記リップの前記前縁部分に磁気的に装着することにより実施される
請求項１６に記載の方法。
【請求項１９】
前記第１及び第２安定化部材は、前記摩耗部材により前記突起に向かって移動すると、前記突起を運転摩耗から遮蔽し、且つ前記リップに対する前記摩耗部材の不要な左右の動きを抑制するように機能する
請求項１６に記載の方法。
【請求項２０】
前記方法は、アダプタを前記摩耗部材として使用することにより実施される
請求項１６に記載の方法。
【発明の詳細な説明】
【技術分野】
【０００１】
本発明は、概して地面係合装置に関し、より特定的には、本発明の代表的な実施形態において、（１）摩耗部材支持構造物（例えばアダプタ）が、アダプタの取付け先のバケットリップ前縁に対して左右の不要な動きをするのを抑制し、（２）バケットリップ縁部上の摩耗部材取付け位置の運転摩耗（operational wear）からバケットリップ縁部を遮蔽するために、特別に設計された装置に関する。
【背景技術】
【０００２】
掘削、採掘等の地面係合業では、掘削用バケットリップの前縁部分にアダプタ等の支持構造物を固定し、この支持構造物に摩耗部材（例えば交換可能な刃先）を取付け可能にするのが一般的慣行である。通常、このようなアダプタは後方に上下のレッグ部分を有し、これらのレッグ部分がバケットリップ前縁をまたぎ、バケットリップの前端から後方へとバケットリップに固定されて、設置後のアダプタをバケットリップ上の所定位置に保持する。設置されたアダプタがバケットリップに対して左右に動くのを抑制し、さらに、バケットリップ前縁のアダプタ設置位置で、バケットリップ前縁を運転摩耗から遮蔽することが望ましいと考えられる。
【発明の概要】
【発明が解決しようとする課題】
【０００３】
これらの２つの設計基準を満たそうとする以前の試みは、不必要に高コスト及び／又は複雑となるという理由から、完全には満足が行かないと判明しているものが多い。したがって、リップに取り付けられた地面係合支持構造物を安定化するための、実質的により安価でより単純な改良型装置を提供することが望ましいと考えられる。本発明は、主としてこの目標を指向している。
【図面の簡単な説明】
【０００４】
【図１】アダプタが取外し可能に装着された掘削用バケットリップの前縁部分を通る下向きの部分断面図であり、本発明の原理を具現する特別に設計された安定化システムにより、装着されたアダプタの不要な左右の動きが抑制されている。
【図２】概ね線２−２を切断線とする、図１の構造の概略の分解部分断面図である。
【図３】アダプタが取り外されて、バケットリップに取外し可能に固定された正面安定化ブロックが露出した状態の、バケットリップ前縁部分の斜視図である。
【発明を実施するための形態】
【０００５】
詳細な説明
底部が金属の掘削用バケットリップ１０は、上側と下側の面１２、１４と、前縁１６と、リップ前縁１６の長さに沿って間隔を空けて前方に伸びている一連の安定化突起１８（その１つのみ図示）とを有する。一連のコネクタ開口部２０（その１つのみ図示）がリップ前縁１６から後方に間隔を空けて配置されており、これらのコネクタ開口部２０は、リップ１０を下向きに貫通して伸び、リップの安定化突起１８と一直線上にある。
【０００６】
摩耗部材（典型的にはアダプタ２２の形態の摩耗部材）は、リップ前縁１６に取外し可能に固定可能であり、図１に示すように、リップ前縁と共に地面係合アセンブリを形成する。アダプタ２２は、垂直方向に間隔を空けて後方に突き出た一対の上下レッグ２４、２６を有し、この一対のレッグは、レッグを貫通して垂直方向に伸びるコネクタ開口部２８、３０（図２を参照）を有する。別のコネクタ開口部３２（図１参照）は、アダプタ２２のフロント部分又はノーズ部分を通って水平方向に伸びており、このコネクタ開口部は、アダプタ２２に別の摩耗部材（例えば交換可能な刃先（図示せず））を取外し可能に接続するのに使われる。レッグ２４、２６がリップ１０の前縁部分をまたぎ、レッグの開口部２８、３０がリップの開口部２０と一直線上に整列するまで、図２の矢印３４が示すようにアダプタ２２をリップ１０へと後方に移動させることにより、アダプタ２２がリップ１０に設置される。次に、整列した開口部２８、２０、３０に適切なコネクタ構造物（図示せず）を設置すると、図１の断面図が示すように、アダプタ２２がリップ１０上に取外し可能に保持される。
【０００７】
リップ１０に対する設置済みアダプタ２２の不要な左右の動き（すなわち、リップ前縁１６に平行の動き）を抑制するため、本発明は、特別に設計された安定化構造物３６を提供する。安定化構造物３６は、２つの移動可能な安定化ブロック部材３８を含み、この２つの安定化ブロック部材は、アダプタ２２がリップ１０に設置される前にリップ前縁１６に固定される。典型的には、このブロック３８は、アダプタ２２がリップ１０に設置される前に、ブロック３８がリップ前縁１６の長さに沿ってリップ前縁１６に対してスライド式に移動できるように、金属製リップ１０に磁気的に（例えば、概略で図示されている適切な磁石構造物３９を使用して）固定される。あるいは、アダプタ２２をリップ前縁１６に設置する前に、他の適切な構造物及び手法を利用して、安定化ブロック３８をリップ前縁１６上に移動可能に支持してもよい。
【０００８】
設置後の安定化ブロック３８は、（１）アダプタ２２内のアダプタレッグ２４、２６の接合部に隣接する相補的に傾斜した内面４２とスライド式に係合可能な傾斜した前方面４０と、（２）湾曲した後方側面４３と、（３）比較的幅が狭い外側端部４５及び比較的幅が広い内側端部４７と、（４）端部４５、４７の接合部に設けられ、図示されているリップ安定化突起１８がポケット領域４４に進入できるように構成された対面ポケット領域４４とを有する。
【０００９】
アダプタ２２がリップ２２に向かって後方に移動すると、傾斜したアダプタ面４２が相補的に傾斜したブロック面４０とスライド式に係合し、その結果、図１の矢印４６が示すように、ブロック３８同士がリップ前縁に沿って互いに近づき、その結果、フロントリップ突起１８が対面ブロックポケット４４に受け入れられる。次に、上記コネクタ構造物（図示せず）が、一直線上に整列したアダプタ開口部及びリップ開口部２８、２０、３０に作動的に配置される。係合するアダプタ面とブロック面４２、４０の傾斜構成により、リップ前縁１６に対する設置済みアダプタ２２の左右の水平方向の動きが実質的に抑制され、さらに、設置されたブロック部材３８がリップ突起１８を運転摩耗から遮蔽する。
【００１０】
以上から分かるように、安定化ブロック３８を使用することにより、フロントリップ突起１８を運転摩損から遮蔽することと、バケットリップ１０に対する設置済みアダプタ２２の不要な左右の動きを抑制すること、という二重機能を達成するための、単純且つ効果的で安価な手法が得られる。加えて、これらの望ましい結果は、個別の留め具を用いて安定化ブロック３８を所定位置に取り付けることなく達成される。さらに、アダプタ２２の初回設置時、又はその後の運転摩耗の調整のためリップ上のアダプタ２２を後方に締め付ける時、リップ１０に対してアダプタ２２が後方に動くのに応答して、設置済み安定化ブロック３８同士がバケットリップ前縁１６の長さに沿って自動的に互いに近づく。
【００１１】
上記の詳細説明は単なる図解及び例示の目的で示されていることを明確に理解すべきであり、本発明の精神及び範囲は添付の請求項によってのみ限定される。
【図１】
0005914747.tif 000002
【図２】
0005914747.tif 000003
【図３】
0005914747.tif 000004